(57)【要約】【課題】主ケーブルから取り出した光ファイバ心線と、引落し光ケーブルから取り出した光ファイバ心線とを融着接続する際の作業性を改善する。【解決手段】主ケーブルから取り出した光ファイバ１ａと引落し光ケーブル２から取り出した光ファイバ２ａとの融着接続点３を収納する融着接続点収納トレイ１４であって、底部１４ａとこの底部１４ａの蓋体側に設けられた側壁１４ｂとを有しクロージャ長手方向に延びるトレイ本体１４’の前記蓋体側の側壁１４ｂの外面に、前記引落し光ケーブル２を仮固定するためのケーブル仮固定部１５を設けた構成である。融着接続作業は、引落し光ケーブル２をケーブル仮固定部１５に仮固定した状態で行う。引落し光ケーブル２の、剛性がありかつ湾曲状態にあって姿勢・位置のコントロールがしにくいという問題は解消され、融着接続の作業性が改善される。【選択図】図２
2011232491.tif 000002
【特許請求の範囲】
【請求項１】
クロージャ本体と蓋体とで筒状体をなす光クロージャの前記クロージャ本体に取り付けられて、光クロージャ内に導入された主ケーブルから取り出した光ファイバと光クロージャから引き落される引落し光ケーブルから取り出した光ファイバとの融着接続点を収納する融着接続点収納トレイであって、
底部とこの底部の蓋体側に設けられた側壁とを有しクロージャ長手方向に延びるトレイ本体の前記側壁の外面に、前記引落し光ケーブルを仮固定するためのケーブル仮固定部を設けたことを特徴とする融着接続点収納トレイ。
【請求項２】
前記ケーブル仮固定部として、トレイ本体の側壁外面とで上向き開口の溝形を形成するＬ形突出部を側壁外面にトレイ長手方向に間隔をあけて複数設けたことを特徴とする請求項１記載の融着接続点収納トレイ。
【請求項３】
前記トレイ本体が、クロージャ本体の内壁にヒンジを介して取り付けられて、蓋体側に倒すことが可能にされていることを特徴とする請求項１記載の融着接続点収納トレイ。
【請求項４】
請求項１又は２の融着接続点収納トレイを備えたことを特徴とする光クロージャ。
【請求項５】
自身の内部空間自体が前記引落し光ケーブルの余長空間とされていることを特徴とする請求項４に記載の光クロージャ。
【発明の詳細な説明】
【技術分野】
【０００１】
この発明は、光クロージャ内に設けられる融着接続点収納トレイ、及びこれを備えた光クロージャに関する。
【背景技術】
【０００２】
光通信線路に設けられる架空光クロージャとして、図６、図７に示すように、光クロージャ５内に導入された主ケーブル１から取り出した光ファイバ心線１ａ（１ａ’）と、光クロージャ５から引き落とされる例えば片端コネクタ付き光ケーブル２（２’）の光ファイバ心線２ａ（２ａ’）との融着接続点３、３’を収納する融着接続部収納トレイ４を備えた小形の光クロージャがある。
光クロージャ５は、クロージャ本体６とこのクロージャ本体６に開閉可能に被せられる蓋体７とで筒状をなしている。８は光ファイバ心線の取り出しをしない主ケーブルすなわち通過ケーブル、９は防水把持具である。
光クロージャが小形で主ケーブルから取り出す必要のある光ファイバ心線数が少ない場合、したがって、トレイに収納すべき融着接続点の数が少ない場合、トレイも小形なものを用いる。
従来、このような場合のトレイとして、光ファイバ心線の余長を伴わずに融着接続点を収納する構造のトレイ、例えば簡略化して示した図示の融着接続部収納トレイ４のように、樹脂製で、底部４ａと両側の側壁４ｂ、４ｃとでコ字形断面をなす細長い溝形トレイを用いる場合がある。この小形の溝形トレイ４は前記クロージャ本体６の内壁６ａに取り付けられる。４ｄは融着接続部保持部である。
【０００３】
ところで、上記のような小形の細長い溝形トレイ４とは異なるが、光ファイバ心線を仮固定できるという機能の点で本願発明と共通するものとして、特許文献１のファイバ保持具がある。
この特許文献１のファイバ保持具は、光ファイバ心線を挟持するプラスチック製挟持部の下面にプラスチック磁石からなる取付部を持つ構造であり、鋼板製の接続箱の広い平坦な内面の適宜の箇所に取付部を吸着させて用いる。
【先行技術文献】
【特許文献】
【０００４】
【特許文献１】実開平５−２０００４
【発明の概要】
【発明が解決しようとする課題】
【０００５】
上記従来のコ字形断面の細長い溝形トレイ４を持つ光クロージャ５において、主ケーブル１から取り出した光ファイバ心線１ａとコネクタ付き光ケーブル２の光ファイバ心線２ａとを融着接続する場合、図７（イ）に実線で示すように、トレイ４の外側（クロージャ本体６の内壁６ａと反対側）で融着接続機により融着接続するが、光ケーブル２は剛性がありかつ湾曲状態にあるので、融着接続する際に光ケーブル２の姿勢・位置のコントロールがしにくく、作業性が悪いという問題がある。
なお、特許文献１のようなファイバ保持具は、このような細長い溝形トレイ４には使用できない。
【０００６】
本発明は上記従来の欠点を解消するためになされたもので、光クロージャに導入されたの主ケーブルから取り出した光ファイバ心線と、光クロージャから引き落される光ケーブルの光ファイバ心線とを融着接続する際の融着接続作業のしにくさを改善できる融着接続部収納トレイ、及び光クロージャを提供することを目的とする。
【課題を解決するための手段】
【０００７】
上記課題を解決する請求項１の発明は、クロージャ本体と蓋体とで筒状体をなす光クロージャの前記クロージャ本体に取り付けられて、光クロージャ内に導入された主ケーブルから取り出した光ファイバと光クロージャから引き落される引落し光ケーブルから取り出した光ファイバとの融着接続点を収納する融着接続点収納トレイであって、
底部とこの底部の蓋体側に設けられた側壁とを有しクロージャ長手方向に延びるトレイ本体の前記側壁の外面に、前記引落し光ケーブルを仮固定するためのケーブル仮固定部を設けたことを特徴とする。
【０００８】
請求項２は、請求項１の融着接続部収納トレイにおいて、ケーブル仮固定部として、トレイ本体の側壁外面とで上向き開口の溝形を形成するＬ形突出部を側壁外面にトレイ長手方向に間隔をあけて複数設けたことを特徴とする。
【０００９】
請求項３は、請求項１又は２の融着接続部収納トレイにおいて、トレイ本体が、クロージャ本体の内壁にヒンジを介して取り付けられて、蓋体側に倒すことが可能にされていることを特徴とする。
【００１０】
請求項４の発明の光クロージャは、請求項１又は２の融着接続点収納トレイを備えたことを特徴とする。
【００１１】
請求項５は、請求項４の光クロージャにおいて、自身の内部空間自体が前記引落し光ケーブルの余長空間とされていることを特徴とする。
【発明の効果】
【００１２】
本発明によれば、トレイの外側で主ケーブル側の光ファイバと引落し光ケーブルの光ファイバとを融着接続する際に、引落し光ケーブルをトレイの側壁外面のケーブル仮固定部に仮固定した状態で、融着接続作業を行うことができる。
したがって、引落し光ケーブルの、剛性がありかつ湾曲状態にあって姿勢・位置のコントロールがしにくいという問題は解消され、融着接続の作業性が改善される。
【図面の簡単な説明】
【００１３】
【図１】本発明の一実施例の融着接続部収納トレイを備えた光クロージャを示すもので、（イ）は蓋体を外した状態の光クロージャの正面図、（ロ）は（イ）のＡ−Ａ矢視図である。
【図２】（イ）は図１における融着接続部収納トレイの部分についてのＢ−Ｂ断面図、（ロ）は（イ）のＣ−Ｃ断面図である。
【図３】上記融着接続部収納トレイの詳細構造を示すもので、融着接続部収納トレイの斜視図である。
【図４】（イ）は図３の融着接続部収納トレイの平面図、（ロ）は同正面図である。
【図５】図４（イ）のＤ−Ｄ断面図である（但し、図４（イ）の左方部分の図示を省略）。
【図６】従来の融着接続部収納トレイを備えた光クロージャを示すもので、（イ）は蓋体を外した状態の光クロージャの正面図、（ロ）は（イ）のＥ−Ｅ矢視図である。
【図７】（イ）は図６における融着接続部収納トレイの部分についてのＦ−Ｆ断面図、（ロ）は（イ）のＧ−Ｇ断面図である。
【発明を実施するための形態】
【００１４】
以下、本発明を実施した融着接続部収納トレイ及び光クロージャについて、図面を参照して説明する。
【実施例１】
【００１５】
図１は本発明の一実施例の融着接続部収納トレイ１４を備えた光クロージャ５を示すもので、（イ）は蓋体を外した状態の光クロージャの正面図、（ロ）は（イ）のＡ−Ａ矢視図である。図２（イ）は図１における融着接続部収納トレイ１４の部分についてのＢ−Ｂ断面図（但し、融着接続作業時の状態で示す）、（ロ）は（イ）のＣ−Ｃ断面図である。
この光クロージャ５は、光通信線路に設けられる架空光クロージャであり、光クロージャ５内に導入された主ケーブル１から取り出した光ファイバ心線１ａ（１ａ’）と、光クロージャ５から引き落とされる片端コネクタ付き光ケーブル２（２’）の光ファイバ心線２ａ（２ａ’）との融着接続点３、３’を収納する本発明の一実施例の融着接続部収納トレイ１４を備えた小形の光クロージャである。
光クロージャ５は、クロージャ本体６とこのクロージャ本体６に開閉可能に被せられる蓋体７とで筒状をなしている。８は光ファイバ心線の取り出しをしない主ケーブルすなわち通過ケーブル、９は防水把持具である。
前記の各片端コネクタ付き光ケーブル２、２’は例えば、２心のターミネーション型光ケーブル２０を分離させた１．５ｍｍφの光ファイバコードである。
なお、光クロージャから引き落とされる光ケーブルは、必ずしも片端コネクタ付き光ケーブルでなくてもよい（コネクタ等がついていない単なる光ケーブルでもよい）。
また、実施例では光ケーブル２０から分離させる光ファイバが、光ファイバ心線の周りに抗張力繊維を配置し外被で被覆した光ファイバコードであるが、光ケーブルから分離させる光ファイバはコードに限らず、光ファイバ心線でもよい。光ファイバ心線と比べて剛性の高いコードの場合に、融着接続の作業性が改善される効果がより顕著であるが、光ファイバ心線の場合でも、仮固定することで、フリーの状態の場合と比べて融着接続作業の際の姿勢・位置のコントロールが容易になり、作業性が改善される。
【００１６】
この実施例の融着接続部収納トレイ１４は、樹脂製であり、融着接続部保持部１４ｄを有する底部１４ａと両側の側壁１４ｂ、１４ｃとでコ字形断面をなす細長い溝形トレイである点は、従来の融着接続部収納トレイ４と同様であるが、本発明では、トレイ本体１４’のクロージャ蓋体側の側壁１４ｂの外面に、前記引落し光ケーブル２を仮固定するためのケーブル仮固定部１５を設けている。トレイ本体１４’とは、トレイ１４のケーブル仮固定部１５を除いた部分を指す。
前記ケーブル仮固定部１５は、トレイ本体の側壁１４ｂの外面とで上向き開口の溝１５ｂを形成するＬ形突出部１５ａを側壁１４ｂの外面に樹脂一体成形して設けており、図示例ではトレイ長手方向に間隔をあけて４箇所設けている。Ｌ形突出部１５ａと側壁１４ｂとで形成される上向き開口の溝１５ｂは、光ケーブル２の径より幅を僅かに狭くしており、光ケーブル２をみだりに動かないように嵌合保持できる。
また、実施例の融着接続部収納トレイ１４は、図２（ロ）に示すように、クロージャ本体６の内壁６ａ側（クロージャ蓋体７と反対側）の側壁１４ｃがクロージャ本体６の内壁６ａにヒンジ１６を介して取り付けられており、融着接続作業時に、図２（ハ）のように蓋体７側に倒すことが可能にされている。なお、ヒンジ１６で回動可能なトレイ１４の姿勢保持手段は適宜の手段を採用できるが、詳細説明及び図示は省略する。
【００１７】
上記の光クロージャ５において、主ケーブル１から取り出した光ファイバ心線１ａとコネクタ付き光ケーブル２の光ファイバ心線２ａとを融着接続する場合の作業を説明すると、図２（イ）に実線で示すように、トレイ４の外側（クロージャ本体６の内壁６ａと反対側）で融着接続機により融着接続するが、その際、光ケーブル２の被覆端部２ｂの近傍をＬ形突出部１５ａで形成された溝１５ｂに嵌合させて仮固定した上で、融着接続の作業を行う。
例えば１．５ｍｍφの光ファイバコードである光ケーブル２は剛性があり、かつ接続作業時には湾曲状態にあるので、光ケーブル２をフリーのままにしていては、融着接続する際に光ケーブル２の姿勢・位置のコントロールがしにくいが、上記の通り光ケーブル２がケーブル仮固定部１５で保持されることで、そのような問題が解消され、融着接続作業の作業性が良好になる。
なお、融着接続作業時には、図２（ハ）のように、トレイ１４を蓋体７側に倒した状態とするが、ケーブル仮固定部１５を設けたことと相俟って、作業性が良好である。
融着接続を完了した後、図２（イ）に２点鎖線で示すように、光ファイバ心線２ａを光ケーブル２の被覆端部近傍とともにトレイ１４内に収容し、融着接続点を補強部材で補強した融着接続部３を１対の保持リブからなる融着接続部保持部１４ｄに嵌合させて保持する。
【実施例２】
【００１８】
図１、図２では融着接続部収納トレイ１４を簡略化して示したが、図３〜図５に実施例の融着接続部収納トレイ１４の詳細構造を示す。
トレイ１４の両端部に、光ケーブル２を導入するケーブル導入部１４ｅと光ファイバ心線導入部１４fとを有する。ケーブル仮固定部１５を形成するＬ形突出部１５ａは４つ設けている。
また、図示例の融着接続部保持部１４ｄは、細くかつ長い融着接続部を保持する場合と、太くかつ短い融着接続部を保持する場合との両方に対応可能な構造であり、長い保持リブ１４ｄａと短い保持リブ１４ｄｂとの一対の保持リブからなる。１４ｇは光ファイバ心線の飛び出しを防ぐ突片である。１４ｈはクロージャ本体６の内壁６ａに固定したブラケット６ｂに取り付けられるヒンジ軸である。
【実施例３】
【００１９】
上述の実施例では、ケーブル仮固定部１５として、Ｌ形突出部１５ａをトレイ本体の側壁１４ｂの外面に樹脂一体成形して構成したが、突出部の形状は必ずしもＬ形に限定されない。
また、実施例では、トレイ本体１４’の蓋体側の側壁１４ｂをケーブル仮固定部１５の一部として利用しているが、ケーブル仮固定部を、トレイ本体１４’の側壁１４ｂとは別に構成することもできる。その場合、底部とその両側の側壁とからなる独立した概ね溝形断面のケーブル仮固定部をトレイ本体１４’と一体に形成してもよいし、また、別部材を取り付けて構成してもよい。
また、融着接続部収納トレイ１４は、ヒンジ１６（ヒンジ軸１４ｈ）を介してクロージャ本体６の内壁６ａに取り付けて、前に倒せる構成としたが、クロージャ本体６に単に固定したものでもよい。融着接続部保持部１４ｄの構成は適宜設計変更できる。
また、実施例の融着接続部収納トレイ１４のトレイ本体１４’は、底部１４ａとその両側の側壁１４ｂ、１４ｃとを有する構造であるが、クロージャ本体６の内壁６ａと一体に形成されて内壁６ａがトレイ本体の一方の壁部を兼ねている構造（内壁６ａ側の側壁１４ｃがない断面形状）であってもよい。
実施例は架空光クロージャとして説明したが、必ずしも架空用に限定されない。
【符号の説明】
【００２０】
１  主ケーブル
１ａ、１ａ’  光ファイバ心線
２、２’  引落しケーブル
２ａ、２ａ’  光ファイバ心線
３、３’  融着接続点（融着接続部）
５  光クロージャ
６  クロージャ本体
６ａ  内壁
６ｂ  ブラケット
７  蓋体
１４  融着接続部収納トレイ
１４’  トレイ本体
１４ａ  底部
１４ｂ  （蓋体側の）側壁
１４ｃ  （蓋体と反対側の）側壁
１４ｄ  融着接続部保持部
１５  ケーブル仮固定部
１５ａ  Ｌ形突出部
１５ｂ  溝
１６  ヒンジ
【図１】
2011232491.tif 000003
【図２】
2011232491.tif 000004
【図３】
2011232491.tif 000005
【図４】
2011232491.tif 000006
【図５】
2011232491.tif 000007
【図６】
2011232491.tif 000008
【図７】
2011232491.tif 000009